(57)【要約】      （修正有）【課題】組立箱や高級貼箱を重箱のように積み重ねることができる紙製重箱を提供する。【解決手段】紙製の組立箱を内箱１０とし、該内箱１０の外周に外枠２０を組み合せる。平面Ｌ字形状に屈曲された一対の枠体２１を連結して外枠２０を構成する。各枠体２１の長手両端部に差込片２２と挿入口２３とを併設する。隣接する枠体２１の差込片２２と挿入口２３とを互いに差し込み直角に屈曲する。一対の枠体２１を連結して外枠２０を構成する。外側壁と内側壁とで枠体２１を形成する。内側壁を延長して外枠２０の内側に突出する屈曲支持片２１Ｃを形成する。外側壁と内側壁との長手両端部に挿入口２３を形成する。【選択図】図４
0003177318.tif 000002
【実用新案登録請求の範囲】
【請求項１】
紙製の組立箱を内箱とし、該内箱の外周に、平面Ｌ字形状に屈曲された一対の枠体を連結して構成された外枠を組み合せて構成する紙製重箱であって、各枠体の長手両端部に差込片と挿入口とが併設され、隣接する枠体の差込片と挿入口とを互いに差し込み直角に屈曲することで一対の枠体が連結されて外枠を構成するように設けたことを特徴とする紙製重箱。
【請求項２】
前記枠体は、横長の帯状板紙を縦方向に屈曲して外側壁と内側壁とが形成され、内側壁を縦方向に延長して前記外枠の内側に突出する屈曲支持片を形成し、外側壁と内側壁との長手両端部に前記挿入口が形成され、一方の挿入口に導入片を形成し、該導入片を前記外側壁と前記内側壁との間に折り込み前記挿入口を補強するように構成した請求項１記載の紙製重箱。
【請求項３】
前記差込片は、前記枠体の一方の長手端部の外側壁から延長された外側差込片と、該枠体の他方の長手端部の内側壁から延長された内側差込片とで構成され、隣接する前記枠体の前記差込片は、これら外側差込片と内側差込片とを重合した状態から互いの前記挿入口に差し込み後、直角に屈曲するように構成した請求項１又は２記載の紙製重箱。
【請求項４】
前記枠体は、前記帯状板紙に左右一対の前記内側壁を形成し、該内側壁の下端部に屈曲縁を介して延長された左右一対の前記外側壁を形成し、該外側壁の下端部に屈曲縁を介して左右一対の接着片を形成し、該接着片の下端部に折返し部を介して左右一対の前記屈曲支持片を形成し、
前記枠体の一方の長手端部の前記外側壁から前記外側差込片を延長し、該枠体の他方の長手端部の前記内側壁から前記内側差込片を延長すると共に、該他方の長手端部の前記外側壁から屈曲縁を介して導入片を形成し、該導入片を前記外側壁と前記内側壁との間に折り込み前記挿入口を形成した請求項１又は３いずれか記載の紙製重箱。
【考案の詳細な説明】
【技術分野】
【０００１】
本考案は、組立箱や高級貼箱を重箱のように積み重ねることができる紙製重箱の提供を目的とする。
【背景技術】
【０００２】
特許文献１に、多段式に積み重ねる紙製の重箱ユニットが記載されている。この重箱ユニットによると、１枚の紙を折曲げ成形した外箱に、１枚の紙を折曲げ成形した内箱を嵌め合わせて重箱を組み立てるもので、外箱と内箱とがユニット化されたものである。
【０００３】
外箱には、側面を囲う側面片と、この側面片から内側に向けて張り出す張出片を設けてあり、上下面を開放した中抜き形状の外箱を形成している。一方、内箱は、外箱の側面片の高さと略同一の高さの側面片と、この側面片の下端部に連なる底面板を設けて上面開放のボックス形状を成している。
【０００４】
そして、内箱を外箱の上部に嵌め込んだ際、内箱の底面板が外箱の張出片によって支えられ、且つ内箱の側面片の一部が外箱の側面片より上方に突出するように構成したものである。
【先行技術文献】
【特許文献】
【０００５】
【特許文献１】実開平７‐１１５１８号公報
【考案の概要】
【考案が解決しようとする課題】
【０００６】
ところが特許文献１の重箱ユニットは、外箱と内箱とがユニット化されたものであるから、外箱と内箱とを夫々組み立てた後に、これらを組み合せるように構成している。そのため、この重箱ユニットの完成までに、外箱の組み立て工程と、内箱の組み立て工程との二種類の組み立て工程が必要になっており、組み立て作業に多くの手間を要するものであった。
【０００７】
しかも、この重箱ユニットは、組み立て形成した内箱を、外箱が保持する構成になっている。そのため、外箱は、内箱の保持強度を高めるために、４つの側面片を連接した帯状を成し、側面片の一端に形成した差込片を、側面片の他端側に形成した角筒内に差込み、差込片を側面片に接着固定することにより、矩形状の枠体を形成したものである。したがって、外箱の組み立て工程には、接着工程が含まれることになり、外箱の組み立て時間が長くなる不都合もあった。
【０００８】
一方、既製品の紙箱には、蓋をかぶせて使用する、所謂、組立箱がある。この組立箱の中でもグレードが高いものでは、片白チップボールという厚紙の上から、色つきの紙を包んだ高級貼箱と称する紙箱なども販売されている。このような組立箱や高級貼箱を利用して紙製の重箱を構成できるようにすると、従来の組み立て工程の手間を大幅に軽減することが可能になる。
【０００９】
そこで本考案は上述の課題を解消し、組立箱や高級貼箱を重箱のように積み重ねることができる紙製重箱の提供を目的とする。
【課題を解決するための手段】
【００１０】
上述の目的を達成すべく本考案における第１の手段は、紙製の組立箱を内箱１０とし、該内箱１０の外周に、平面Ｌ字形状に屈曲された一対の枠体２１を連結して構成された外枠２０を組み合せて構成する紙製重箱であって、各枠体２１の長手両端部に差込片２２と挿入口２３とが併設され、隣接する枠体２１の差込片２２と挿入口２３とを互いに差し込み直角に屈曲することで一対の枠体２１が連結されて外枠２０を構成するように設けたことにある。
【００１１】
第２の手段において、前記枠体２１は、横長の帯状板紙１を縦方向に屈曲して外側壁２１Ａと内側壁２１Ｂとが形成され、内側壁２１Ｂを縦方向に延長して前記外枠２０の内側に突出する屈曲支持片２１Ｃを形成し、外側壁２１Ａと内側壁２１Ｂとの長手両端部に前記挿入口２３が形成され、一方の挿入口２３に導入片２３Ａを形成し、該導入片２３Ａを前記外側壁２１Ａと前記内側壁２１Ｂとの間に折り込み前記挿入口２３を補強するように構成したものである。
【００１２】
第３の手段において、前記差込片２２は、前記枠体２１の一方の長手端部の外側壁２１Ａから延長された外側差込片２２Ａと、該枠体２１の他方の長手端部の内側壁２１Ｂから延長された内側差込片２２Ｂとで構成され、隣接する前記枠体２１の前記差込片２２は、これら外側差込片２２Ａと内側差込片２２Ｂとを重合した状態から互いの前記挿入口２３に差し込み後、直角に屈曲するように構成している。
【００１３】
第４の手段において、前記枠体２１は、前記帯状板紙１に左右一対の前記内側壁２１Ｂを形成し、該内側壁２１Ｂの下端部に屈曲縁ａを介して延長された左右一対の前記外側壁２１Ａを形成し、該外側壁２１Ａの下端部に屈曲縁ｂを介して左右一対の接着片２１Ｄを形成し、該接着片の下端部に折返し部ｃを介して左右一対の前記屈曲支持片２１Ｃを形成し、前記枠体２１の一方の長手端部の前記外側壁２１Ａから前記外側差込片２２Ａを延長し、該枠体２１の他方の長手端部の前記内側壁２１Ｂから前記内側差込片２２Ｂを延長すると共に、該他方の長手端部の前記外側壁２１Ａから屈曲縁ｄを介して導入片２３Ａを形成し、該導入片を前記外側壁２１Ａと前記内側壁２１Ｂとの間に折り込み前記挿入口２３を補強するものである。
【考案の効果】
【００１４】
本考案の請求項１によると、紙製の組立箱を内箱１０として使用し、該内箱１０の外周に外枠２０を組み合せて構成することにより、外枠２０を組み合せるだけで組立箱を重箱のように構成し、積み重ねることが可能になった。更に、外枠２０は、隣接する枠体２１の差込片２２と挿入口２３とを互いに差し込み、直角に屈曲するのみで外枠２０を形成することができるので、接着剤を使用せずに済み、極めて簡単に組み立てることができる。
【００１５】
請求項２のように、前記枠体２１は、横長の帯状板紙を縦方向に屈曲して外側壁２１Ａと内側壁２１Ｂとが形成され、内側壁２１Ｂを縦方向に延長して前記外枠２０の内側に突出する屈曲支持片２１Ｃを形成し、外側壁２１Ａと内側壁２１Ｂとの長手両端部に前記挿入口２３が形成されたものであるから、略環体状を成した枠体２１の挿入口２３に差込片２２を簡単に差し込むことができる。
【００１６】
しかも、一方の挿入口２３に導入片２３Ａを形成し、該導入片２３Ａを外側壁２１Ａと内側壁２１Ｂとの間に折り込み挿入口２３を形成しているから、挿入口２３の構造を強化することができ、差込片２２挿入後の屈曲保持力を強化することができるものである。
【００１７】
また、内側壁２１Ｂを延長して前記外枠２０の内側に突出する屈曲支持片２１Ｃが形成されているので、外枠２０内の屈曲支持片２１Ｃ上に内箱１０を支持するだけで、極めて簡単に重箱を構成することができる。
【００１８】
請求項３のごとく、差込片２２は、外側差込片２２Ａと内側差込片２２Ｂとを重合した状態から互いの前記挿入口に差し込み直角に屈曲するように構成しているので、一対の枠体２１を強固に連結することができる。この結果、一対の枠体２１を連結する際に接着剤は不要になり、極めて簡単な作業で外枠２０を構成することができる。
【００１９】
請求項４のような枠体２１によると、帯状板紙１を利用して極めてシンプルな構造の外枠２０を構成することができる。しかも、外側壁２１Ａから屈曲縁を介して導入片２３Ａを形成し、該導入片２３Ａを外側壁２１Ａと内側壁２１Ｂとの間に折り込み挿入口２３を形成しているから、挿入口２３の構造を強化することができ、差込片２２挿入後の屈曲保持力を強化することができるものである。
【図面の簡単な説明】
【００２０】
【図１】本考案の内箱として使用する組立箱の一実施例を示す斜視図である。
【図２】本考案の内箱に外枠を組み合せた状態を示す斜視図である。
【図３】本考案の重箱の一実施例を示す斜視図である。
【図４】本考案の内箱と外枠とを示す分解斜視図である。
【図５】本考案の重箱の一実施例を示す断面図である。
【図６】本考案外枠の一実施例を示す展開図である。
【図７】本考案の外枠の一実施例を示す分解斜視図である。
【図８】本考案の差込片と挿入口とを示す要部断面図である。
【図９】本考案の挿入口に差込片を挿入した状態を示す要部断面図である。
【図１０】本考案の差込片による枠体の連結状態を示す要部断面図である。
【考案を実施するための形態】
【００２１】
本考案によると、簡単に組み立てることが可能で、しかも、組立箱を重箱のように積み重ねることができるなどといった当初の目的を達成した。
【００２２】
以下、本考案の実施例を説明する。本考案の基本構成は、内箱１０と外枠２０とで構成されている（図４参照）。内箱１０は、箱本体１１と蓋体１２とで構成された紙製の箱である（図１参照）。このとき、内箱１０に、既成の組立箱や高級貼箱などを使用するものである。
【００２３】
外枠２０は、内箱１０の外周に組み合せる部材で、平面Ｌ字形状に屈曲された一対の枠体２１を連結して構成する（図７参照）。すなわち、各枠体２１の長手両端部に差込片２２と挿入口２３とが併設されており、隣接する枠体２１の差込片２２と挿入口２３とを互いに差し込み直角に屈曲すると、一対の枠体２１が連結され外枠２０が形成される（図２、図４参照）。
【００２４】
図示の枠体２１は、横長の帯状板紙を縦方向に屈曲して外側壁２１Ａと内側壁２１Ｂとを形成している（図６参照）。更に、内側壁２１Ｂの下端部を縦方向に延長して外枠２０の内側に突出する屈曲支持片２１Ｃを形成している。そして、外側壁２１Ａと内側壁２１Ｂとの長手両端部に挿入口２３が形成されたものである（図４、図７参照）。そして、この外枠２０に内箱１０を組み合せると重箱が形成される（図５参照）。このとき、屈曲支持片２１Ｃの下に他の内箱１０の上端を嵌合することができるので、任意の高さの重箱を形成することができるものである（図３参照）。
【００２５】
差込片２２は、外側差込片２２Ａと内側差込片２２Ｂとを重ねた状態から挿入口２３に差し込むものである（図８乃至図１０参照）。すなわち、外側差込片２２Ａは、枠体２１の一方の長手端部の外側壁２１Ａから延長されている（図８参照）。また、内側差込片２２Ｂは、枠体２１の他方の長手端部の内側壁２１Ｂから延長されている。このとき、一方の挿入口２３に導入片２３Ａを形成し、該導入片２３Ａを前記外側壁２１Ａと前記内側壁２１Ｂとの間に折り込み、この挿入口２３を補強するように構成している（図８参照）。そして、隣接する枠体２１の外側差込片２２Ａと内側差込片２２Ｂとを重合し、この状態から互いの前記挿入口に差し込み（図９参照）、最後に直角に屈曲することで強固に連結することができる（図１０参照）。
【００２６】
図６は、本考案外枠２０を構成する枠体２１の展開図である。この枠体２１は、横長の帯状板紙１に左右一対の内側壁２１Ｂを形成する。この内側壁２１Ｂの下端部に屈曲縁ａを介して左右一対の外側壁２１Ａを延長形成する。したがって屈曲縁ａを介して内側壁２１Ｂを内側に折り込むと、左右両端部に挿入口２３が形成される。
【００２７】
更に、外側壁２１Ａの下端部に屈曲縁ｂを介して左右一対の接着片２１Ｄを形成し、この接着片の下端部に折返し部ｃを介して左右一対の屈曲支持片２１Ｃを形成している。接着片２１Ｄは内側に折り込まれた内側壁２１Ｂに接着することで、外側壁２１Ａと内側壁２１Ｂとを略筒状に形成する。また、屈曲支持片２１Ｃは、折返し部ｃから枠体２１の内側に折り返すことで、内箱１０の底部を支持する部材になるものである。
【００２８】
そして、枠体２１の一方の長手端部の外側壁２１Ａから外側差込片２２Ａを延長している。また、枠体２１の他方の長手端部の内側壁２１Ｂから内側差込片２２Ｂを延長している。そして、この他方の長手端部の外側壁２１Ａから屈曲縁ｄを介して導入片２３Ａを形成している。この導入片２３Ａは、外側壁２１Ａと内側壁２１Ｂとの間に形成された挿入口２３の中に折り込むことで、挿入口２３の開口部を補強している。
【００２９】
尚、本考案は図示例に限られるものではなく、内箱１０の選択は自由であり、外枠２０の各構成部材の寸法、材質等は任意に変更することが可能である。
【符号の説明】
【００３０】
１  帯状板紙
ａ  屈曲縁
ｂ  屈曲縁
ｃ  折返し部
ｄ  屈曲縁
１０  内箱
１１  箱本体
１２  蓋体
２０  外枠
２１  枠体
２１Ａ  外側壁
２１Ｂ  内側壁
２１Ｃ  屈曲支持片
２１Ｄ  接着片
２２  差込片
２２Ａ  外側差込片
２２Ｂ  内側差込片
２３  挿入口
２３Ａ  導入片
【図１】
0003177318.tif 000003
【図２】
0003177318.tif 000004
【図３】
0003177318.tif 000005
【図４】
0003177318.tif 000006
【図５】
0003177318.tif 000007
【図６】
0003177318.tif 000008
【図７】
0003177318.tif 000009
【図８】
0003177318.tif 000010
【図９】
0003177318.tif 000011
【図１０】
0003177318.tif 000012